(57)【要約】【課題】漏洩磁界の防止効果を向上させた誘導加熱調理器を提供することを目的とする。【解決手段】誘導加熱を行うための加熱コイル１と、この加熱コイル１の外周に位置する磁界シールド部材２と、加熱コイル１の下方に磁性体３を介して配置した加熱コイル保持台４とを備え、磁界シールド部材２には加熱コイル１の下面に沿うように形成された磁性体３の保持部２ａを設け、これにより、磁性体３の破損を回避することができ、また、磁性体３と磁界シールド部材２との相乗効果により、漏洩磁界の防止効果を向上できる。そして、磁性体３の保持部２ａを磁界シールド部材２で形成することで、樹脂材料の使用量が減少し、加熱コイルユニットは軽量化される。さらに、加熱コイル１から下方に漏洩した磁界による筐体の加熱を防ぐことができ、加熱防止用アルミニウムの磁界シールド板が不要になるとともに、薄型化が図れる。【選択図】図１
2005166390.tif 000002
【特許請求の範囲】
【請求項１】
誘導加熱を行うための加熱コイルと、この加熱コイルの外周に位置する磁界シールド部材と、前記加熱コイルの下方に磁性体を介して配置した加熱コイル保持台とを備え、前記磁界シールド部材には前記加熱コイルの下面に沿うように形成された前記磁性体の保持部を設けた誘導加熱調理器。
【請求項２】
複数の磁性体のうち少なくとも一つは、加熱コイル保持台で保持する構成とした請求項１に記載の誘導加熱調理器。
【請求項３】
保持部に凹部を設け、前記凹部に凹部の高さ以上の厚みを持つ磁性体を載置した請求項１に記載の誘導加熱調理器。
【請求項４】
凹部の底面に孔を設けた構成とした請求項３に記載の誘導加熱調理器。
【請求項５】
磁界シールド部材は、加熱コイルの外周に位置する外周リングと内周に位置する内周リングとを放射状に形成された保持部で連結して構成し、且つ内周リングの一部には切欠部を形成した請求項１〜４のいずれか１項に記載の誘導加熱調理器。
【請求項６】
加熱コイルの上方及び外周に沿うコイルホルダーを設け、前記コイルホルダーは前記加熱コイルを押圧保持すると共に、前記加熱コイルとその外周に位置する磁界シールド部材との絶縁体として用いた請求項１〜５のいずれか１項に記載の誘導加熱調理器。
【請求項７】
コイルホルダーと磁界シールド部材と加熱コイル保持台とを共締めする構成とした請求項６に記載の誘導加熱調理器。
【発明の詳細な説明】
【技術分野】
【０００１】
本発明は誘導加熱調理器に関するものである。
【背景技術】
【０００２】
従来、この種の誘導加熱調理器は、加熱コイルから発生する磁界の周囲への漏洩を抑制するために、加熱コイルの外周を囲うように、導電部材を取り付けて構成したものがあった（例えば、特許文献１及び２参照）。
【０００３】
図６、図７に示すように、加熱コイル１１は、樹脂で成型された加熱コイル保持台１２の上に載置され、シリコンなどの接着剤で固定されている。
【０００４】
また、この加熱コイル保持台１２は、その内部に放射状に配置された磁性体１３を一体成型により内蔵している。この磁性体１３により、加熱コイル１１から発生する磁界の広がりを吸収している。
【０００５】
また、加熱コイル保持台１２の外周には溝が設けられでおり、この溝にアルミニウムでできた磁界シールド部材１４を載置している。この磁界シールド部材１４により、加熱コイル１１が発生する磁界を吸収して、誘導加熱調理器本体の近傍の他の機器への磁界の影響を低減しているものである。
【特許文献１】特開２００２−３１９４７９号公報
【特許文献２】特開平８−２５０２７２号公報
【発明の開示】
【発明が解決しようとする課題】
【０００６】
しかしながら、前記従来の誘導加熱調理器の構成では、磁界の漏洩を防止しているものの、磁性体１３を加熱コイル保持台１２と一体に成型するため、磁性体１３が破損しやすいという課題があった。
【０００７】
さらに、従来例の誘導加熱調理器では、その筐体１５は強度を確保するため、鉄系の磁性体の板金で形成されることが多いが、加熱コイル１１から下方に漏洩した磁界により筐体１５が加熱されないように、加熱コイル１１の下方にアルミニウムでできた磁界シールド板１６を載置しなければならないという課題を有していた。
【０００８】
そこで、本発明は前記従来の課題を解決するもので、磁性体と磁界シールド部材との相乗効果により、漏洩磁界の防止効果を向上させた誘導加熱調理器を提供することを目的とする。
【課題を解決するための手段】
【０００９】
前記目的を達成するために本発明の誘導加熱調理器は、誘導加熱を行うための加熱コイルと、この加熱コイルの外周に位置する磁界シールド部材と、前記加熱コイルの下方に磁性体を介して配置した加熱コイル保持台とを備え、前記磁界シールド部材には前記加熱コイルの下面に沿うように形成された前記磁性体の保持部を設けた構成としたものである。
【００１０】
このような構成により、製造過程での磁性体の破損を回避することができるとともに、磁性体と磁界シールド部材との相乗効果により、漏洩磁界の防止効果を向上させることができ、さらに軽量で薄型な誘導加熱調理器が得られる。
【発明の効果】
【００１１】
本発明の誘導加熱調理器は、製造過程での磁性体の破損を回避することができるとともに、磁界シールド部材の電気接続による接続不良または途切れなどの問題をなくし、また軽量化、薄型化が図れ、さらに、磁性体と磁界シールド部材との相乗効果により、漏洩磁界の防止効果を向上させることができる。
【発明を実施するための最良の形態】
【００１２】
本発明の実施の形態は、誘導加熱を行うための加熱コイルと、この加熱コイルの外周に位置する磁界シールド部材と、前記加熱コイルの下方に磁性体を介して配置した加熱コイル保持台とを備え、前記磁界シールド部材には前記加熱コイルの下面に沿うように形成された磁性体の保持部を設けた構成において、磁性体と磁界シールド部材との相乗効果により、漏洩磁界の防止効果を向上させた磁界シールドの効果を得ることができる。
【００１３】
また、磁性体と加熱コイル保持台との一体成型を廃止することにより、磁性体の破損を回避することができる。
【００１４】
そして、磁性体の保持部を磁界シールド部材で形成することで、樹脂材料の使用量が減少し、加熱コイル、加熱コイル保持台、磁性体、磁界シールド部材からなる加熱コイルユニットは軽量化される。その上、磁界シールド部材の電気的接続が不要のため、電気接続による接続不良または途切れなどの問題をなくすことができる。
【００１５】
また、筐体が鉄系の磁性体の板金で形成されていても、加熱コイルの下面に沿うように形成された磁性体の保持部が存在するため、加熱コイルから下方に漏洩した磁界による筐体の加熱を防ぐことができ、また、加熱防止用アルミニウムの磁界シールド板が不要になるとともに、薄型化の向上が図れる。
【００１６】
さらに、複数の磁性体のうち少なくとも一つを加熱コイル保持台で保持する構成により、磁性体の数及び配置する際における設計上の自由度が広がる。
【００１７】
また、磁性体の保持部に凹部を設け、その凹部に凹部の高さ以上の厚みを持つ磁性体を載置した構成により、磁性体を配置する際に位置決めができる。また、加熱コイルと磁界シールド部材との間に距離を持たせることによって、熱効率を向上させることができる。
【００１８】
さらに、磁性体の保持部の凹部における底面に孔を設けた構成とすることにより、磁性体を冷却することができる。
【００１９】
そして、磁界シールド部材は、加熱コイルの外周に位置する外周リングと内周に位置する内周リングとを放射状に形成された保持部で連結して構成し、且つ内周リングの一部に切欠部を形成したことにより、電流の流れのループが切れ、磁界シールド部材の自己発熱を抑制することができる。
【００２０】
一方、加熱コイルの上方及び外周に沿うコイルホルダーを設ける構成により、コイルホルダーは加熱コイルを押圧保持すると共に、加熱コイルとその外周に位置する磁界シールド部材との絶縁体として用いることができる。
【００２１】
また、コイルホルダーと磁界シールド部材と加熱コイル保持台とを共締めする構成にすることで、加熱コイルユニットの強度が上がる。その上、個々の位置関係が決まり、加熱電力、漏洩磁界、熱効率を安定させることができる。
【００２２】
そして、一度に締め付けることにより、取付体の本数と組み立て工数が削減できる。
【実施例】
【００２３】
以下、本発明の実施例について、添付図面を参照して説明する。
【００２４】
（実施例１）
図１、図２は、本発明の第１の実施例における誘導加熱調理器を示すものである。
【００２５】
図１において、誘導加熱を行うための加熱コイル１と、この加熱コイル１の外周に位置する磁界シールド部材２と、加熱コイル１の下方に磁性体３を介して配置した加熱コイル保持台４とを備え、磁界シールド部材２には加熱コイル１の下面に沿うように形成された磁性体３の保持部２ａを放射状に設ける。したがって、複数個の磁性体３も放射状に配置されることとなる。
【００２６】
以上のような構成によれば、磁性体３と磁界シールド部材２との相乗効果により、漏洩磁界の防止効果を向上させた磁界シールドを得ることができる。
【００２７】
また、磁性体３と加熱コイル保持台４との一体成型を廃止することにより、磁性体３が破損することも減少できる。
【００２８】
そして、磁性体３の保持部２ａを磁界シールド部材２で形成することで、樹脂材料の使用量が減少し、加熱コイルユニットは軽量化される。その上、磁界シールド部材の電気的接続が不要のため、電気接続による接続不良または途切れなどの問題をなくすことができる。
【００２９】
また、加熱コイル１の下面に沿うように形成された磁性体３の保持部２ａが存在するため、筐体が鉄系の磁性体の板金で形成されていても、加熱コイル１から下方に漏洩した磁界による筐体の加熱を防ぐことができ、また、加熱防止用アルミニウムの磁界シールド板が不要になるとともに、薄型化の向上が図れる。
【００３０】
ここで、磁性体３は磁界シールド部材２に保持されるが、複数の磁性体３のうち少なくとも一つを加熱コイル保持台４で保持する構成により、磁性体３の数及び配置する際の設計上の自由度が広がる。
【００３１】
（実施例２）
次に、図３を参照しながら、本発明の第２の実施例について説明する。
【００３２】
図３において、磁界シールド部材２の磁性体３の保持部２ａの端面を切り起こしたり、深絞りすることで、磁性体３の保持部２ａに凹部２ｂを設け、前記凹部２ｂにその高さ以上の厚みを持つ磁性体３を載置する。これにより、磁性体３を配置する際に、位置決めに利用することができる。また、加熱コイル１と磁界シールド部材２との間に距離を持たせることによって、熱効率を向上させることができる。
【００３３】
さらに、磁性体３の保持部２ａの凹部２ｂにおける底面に孔２ｃを設けた構成とすることにより、磁性体３を冷却することができる。また、磁界シールド部材２は、加熱コイル１の外周に位置する外周リング２ｄと内周に位置する内周リング２ｅとを放射状に形成された保持部２ａで連結して構成し、且つ内周リング２ｅの一部に切欠部２ｆを形成した。
【００３４】
この構成によれば、磁界シールド部材２に流れる電流のループが切れ、磁界シールド部材２の自己発熱を抑制することができる。
【００３５】
（実施例３）
次に、図４、図５を参照しながら、本発明の第３の実施例について説明する。
【００３６】
加熱コイル１の上方及び外周に沿うコイルホルダー５を設け、このコイルホルダー５と磁界シールド部材２と加熱コイル保持台４をビスなどの取付体６によって共締めにする。
【００３７】
以上の構成によって、コイルホルダー５の一部品で加熱コイル１を押圧保持すると共に、その外周縁が加熱コイル１とその外周に位置する磁界シールド部材２との間に臨んで両者間の絶縁体としての効果がある。
【００３８】
その上、取付体６で共締めすることにより、加熱コイルユニットの強度が上がる。そして、一度に締め付けることにより、取付体６の本数と組み立て工数が削減できる。さらに、個々の位置関係が決まり、加熱電力、漏洩磁界、熱効率を安定させることができる。
【産業上の利用可能性】
【００３９】
以上のように、本発明にかかる磁性体と磁界シールド部材の相乗効果により、漏洩磁界の防止効果を向上させることができ、さらに軽量化、薄型化が図れることから、ＩＨクッキングヒーターなど調理器具への利用が可能である。
【図面の簡単な説明】
【００４０】
【図１】本発明の実施例１における誘導加熱調理器の要部平面図
【図２】本発明の実施例１における誘導加熱調理器の要部縦断面図
【図３】（ａ）本発明の実施例２における誘導加熱調理器の磁界シールド部材の平面図（ｂ）同磁界シールド部材の要部縦断面図
【図４】本発明の実施例３における誘導加熱調理器の要部平面図
【図５】本発明の実施例３における誘導加熱調理器の要部縦断面図
【図６】従来の誘導加熱調理器の要部平面図
【図７】従来の誘導加熱調理器の要部分解縦断面図
【符号の説明】
【００４１】
１  加熱コイル
２  磁界シールド部材
２ａ  保持部
２ｂ  凹部
２ｃ  孔
２ｄ  外周リング
２ｅ  内周リング
２ｆ  切欠部
３  磁性体
４  加熱コイル保持台
５  コイルホルダー
【図１】
2005166390.tif 000003
【図２】
2005166390.tif 000004
【図３】
2005166390.tif 000005
【図４】
2005166390.tif 000006
【図５】
2005166390.tif 000007
【図６】
2005166390.tif 000008
【図７】
2005166390.tif 000009